(57)【要約】      （修正有）【課題】スラブとともに該スラブの開口周りに段壁部を形作る型枠を構築する手間を抑えることができる型枠の固定具を提供する。【解決手段】スラブに形成される開口Ｈの内周面を形作る内壁Ｆ１と、内壁Ｆ１の外面に対向配置された状態で開口Ｈ周りに対してスラブから上方に突出する段壁部の外周面を形作る外壁Ｆ２とを備える型枠Ｆに用いられる型枠の固定具１であって、内壁Ｆ１に固定される第一の固定部２と、外壁Ｆ２に固定される第二の固定部３と、第一の固定部２と第二の固定部３とにつながる連設部４とを備えることを特徴とする。【選択図】図４
0003214018.tif 000002
【実用新案登録請求の範囲】
【請求項１】
スラブに形成される開口の内周面を形作る内壁と、前記内壁の外面に対向配置された状態で前記開口周りに対してスラブから上方に突出する段壁部の外周面を形作る外壁とを備える型枠に用いられる型枠の固定具であって、前記内壁に固定される第一の固定部と、前記外壁に固定される第二の固定部と、前記第一の固定部と前記第二の固定部とにつながる連設部とを備える型枠の固定具。
【請求項２】
前記第一の固定部と前記第二の固定部とは、前記連設部から同方向に延出し且つ互いに対向するように形成されている請求項１に記載の型枠の固定具。
【請求項３】
前記第二の固定部の前記連設部からの延出量が前記第一の固定部の前記連設部からの延出量よりも小さくなっている請求項２に記載の型枠の固定具。
【請求項４】
前記第一の固定部及び前記第二の固定部は板状であり、
前記第一の固定部と前記第二の固定部とが対向配置され、前記第一の固定部は、長手方向に沿って延びる固定部用補強部を有し、該固定部用補強部は、前記第二の固定部側とは反対側に膨らむように湾曲している請求項２又は請求項３に記載の型枠の固定具。
【請求項５】
前記連設部は、帯板状であり、前記第一の固定部と、前記第二の固定部と、前記連設部は、一つの凹部を形成するようにして互いに連続し、前記連設部は、長手方向に沿って延びる連設部用補強部を有し、前記連設部用補強部は、前記凹部とは反対側に向かって膨らむように湾曲している請求項１乃至請求項４の何れか１項に記載の型枠の固定具。
【請求項６】
前記第一の固定部、前記第二の固定部、前記連設部は、鋼板により一体形成されている請求項１乃至請求項５の何れか１項に記載の型枠の固定具。
【請求項７】
前記第一の固定部及び前記第二の固定部には、厚み方向に貫通する貫通孔が形成されている請求項１乃至請求項６の何れか１項に記載の型枠の固定具。
【請求項８】
前記第二の固定部には、長手方向における中央部から基端までの領域内に対して前記貫通孔が複数形成されている請求項７に記載の型枠の固定具。
【考案の詳細な説明】
【技術分野】
【０００１】
本考案は、スラブの開口を形作るための型枠を固定するための固定具に関し、特に、スラブとともに開口周りから上方に突出する段壁部を形作る型枠を固定するための固定具に関する。
【背景技術】
【０００２】
従来から、建物のスラブには、図５（ａ）に示すように、開口Ｈが形成されることがある。
【０００３】
この場合、図５（ｂ）に示すように、スラブＳの開口Ｈを取り囲むようにして、スラブＳの上面から上方に向けて突出する段壁部Ｗを仮設することで、スラブＳ上を流れる雨水等が開口Ｈを通じてスラブＳの階下に流れてしまうことを防止している。
【考案の概要】
【考案が解決しようとする課題】
【０００４】
ところで、スラブＳの施工時においては、スラブＳを形作るための型枠が構築されるが、スラブＳとともに段壁部Ｗを形成する場合は、図５（ｃ）に示すように、開口Ｈの内周面を形作るための内壁Ｆ１と、該内壁Ｆ１の外面に対して対向配置される外壁Ｆ２とを備える型枠Ｆが構築されている。このとき、作業者は、現場の資材等を適宜組み合わせて内壁Ｆ１に外壁Ｆ２を固定しているため、型枠Ｆを構築する作業に手間がかかっている。
【０００５】
そのため、内壁Ｆ１に外壁Ｆ２を固定する作業を容易に行えるようにすることで型枠Ｆの構築作業の手間を抑えることが望まれている。
【０００６】
そこで、本考案は、斯かる実情に鑑み、スラブとともに該スラブの開口周りに段壁部を形作る型枠を構築する手間を抑えることができる型枠の固定具を提供することを課題とする。
【課題を解決するための手段】
【０００７】
本考案の型枠の固定具は、スラブに形成される開口の内周面を形作る内壁と、前記内壁の外面に対向配置された状態で前記開口周りに対してスラブから上方に突出する段壁部の外周面を形作る外壁とを備える型枠に用いられる型枠の固定具であって、前記内壁に固定される第一の固定部と、前記外壁に固定される第二の固定部と、前記第一の固定部と前記第二の固定部とにつながる連設部とを備える。
【０００８】
上記構成の固定具によれば、第一の固定部と第二の固定部とが連設部を介して一つながりになっているため、第一の固定部を内壁に固定し、第二の固定部を外壁に固定することにより、外壁を内壁に対して容易に固定できる。
【０００９】
本考案の型枠の固定具において、前記第一の固定部と前記第二の固定部とは、前記連設部から同方向に延出し且つ互いに対向するように形成されていてもよい。
【００１０】
上記構成の型枠の固定具によれば、第一の固定部と第二の固定部とが連設部よりも上方には延出していないため、型枠に設置した状態で作業の妨げにならないようにすることができる。
【００１１】
この場合、前記第二の固定部の前記連設部からの延出量が前記第一の固定部の前記連設部からの延出量よりも小さくなっていてもよい。
【００１２】
外壁の高さ（上下方向における寸法）は小さくなる傾向にあるが、上記構成の型枠の固定具では、第二の固定部の連設部からの延出量が第一の固定部の連設部からの延出量よりも小さくなっていているため、第二の固定部の先端がスラブ上面を形成する型枠に干渉することを防止できる。
【００１３】
また、本考案の型枠の固定具において、前記第一の固定部と前記第二の固定部とが対向配置され、前記第一の固定部は、長手方向に沿って延びる固定部用補強部を有し、該固定部用補強部は、前記第二の固定部側とは反対側に膨らむように湾曲していてもよい。
【００１４】
上記構成の固定具によれば、第一の固定部の固定部用補強部は、該第一の固定部の長手方向に沿って延び、且つ前記第二の固定部側とは反対側に膨らむように湾曲しているため、固定部用補強部の内壁への干渉を防止したうえで、第一の固定部を補強できる。
【００１５】
また、本考案の型枠の固定具において、前記連設部は、帯板状であり、前記第一の固定部と、前記第二の固定部と、前記連設部は、一つの凹部を形成するようにして互いに連続し、前記連設部は、長手方向に沿って延びる連設部用補強部を有し、前記連設部用補強部は、外側に向かって膨らむように湾曲していてもよい。
【００１６】
上記構成の固定具によれば、連設部の連設部用補強部は、該連設部の長手方向に沿って延び、且つ外側に向かって膨らむように湾曲しているため、連設部用補強部の内壁及び外壁への干渉を防止したうえで、連設部を補強できる。
【００１７】
また、本考案の型枠の固定具において、前記第一の固定部、前記第二の固定部、前記連設部は、鋼板により一体形成されていてもよい。
【００１８】
かかる構成によれば、型枠の固定具を簡単に形成することができるようになる。
【００１９】
さらに、本考案の型枠の固定具において、前記第一の固定部及び前記第二の固定部には、厚み方向に貫通する貫通孔が形成することができる。
【００２０】
かかる構成によれば、第一の固定部の貫通孔や第二の固定部の貫通孔に釘等の締結部材を貫通させることによって、型枠に対して型枠の固定具を簡単に固定することができる。
【００２１】
この場合、前記第二の固定部には、長手方向における中央部から基端までの領域内に対して前記貫通孔が複数形成されていてもよい。
【００２２】
かかる構成によれば、第二の固定部の貫通孔を基端側に寄せることにより、第二の固定部の全長よりも長い型枠や、第二の固定部の全長よりも短い型枠であっても、第二の固定部の全長の半分よりも長い型枠であれば第二の固定部を固定することが可能となる。従って、サイズの異なる型枠に対して型枠の固定具を固定し易くすることができる。
【考案の効果】
【００２３】
以上のように、本考案の型枠の固定具によれば、スラブとともに該スラブの開口周りに段壁部を形作る型枠を構築する手間を抑えることができるという優れた効果を奏し得る。
【図面の簡単な説明】
【００２４】
【図１】図１は、本考案の一実施形態に係る型枠の固定具の側面図である。
【図２】図２において、（ａ）が同実施形態に係る型枠の固定具の第一の固定部の正面図であり、（ｂ）は（ａ）のＩＩ−ＩＩ線における断面である。
【図３】図３において、（ａ）が同実施形態に係る型枠の固定具の連設部の平面図であり、（ｂ）は（ａ）のＩＩＩ−ＩＩＩ線における断面である。
【図４】図４は、同実施形態に係る型枠の固定具の使用状態の説明図である。
【図５】図５において、（ａ）は、従来の一般的なスラブの説明図であり、（ｂ）は、開口周りに段壁部が形成されているスラブの説明図であり、（ｃ）は、スラブとともに段壁部を形成するための型枠の説明図である。
【考案を実施するための形態】
【００２５】
以下、本考案の一実施形態にかかる型枠の固定具（以下、固定具と称する）について、添付図面を参照しつつ説明する。
【００２６】
なお、本実施形態に係る固定具は、図５（ｂ）に示すように、スラブＳとともにスラブＳの開口Ｈを取り囲むようにして、スラブＳの上面から上方に向けて突出する段壁部Ｗを形作るための型枠Ｆに用いることを前提に構成されている。
【００２７】
また、本実施形態に係る型枠Ｆは、図５（ｃ）に示すように、開口Ｈの内周面を形作るための内壁Ｆ１と、該内壁Ｆ１の外面に対して対向配置される外壁Ｆ２とを備えている。なお、型枠Ｆの施工対象である開口の形状は、例えば、平面視において正方形や、長方形であるが、他の形状であってもよい。
【００２８】
図１に示すように、固定具１は、前記内壁Ｆ１に固定される第一の固定部２と、前記外壁Ｆ２に固定される第二の固定部３と、前記第一の固定部２と前記第二の固定部３とにつながる連設部４とを備えている。なお、第一の固定部２、第二の固定部３、連設部４が鋼板により一体形成されていているため、固定具１を簡単に形成することができるようになっている。
【００２９】
第一の固定部２は、帯板状である。第一の固定部２には、厚み方向において貫通する貫通孔（以下、第一貫通孔と称する）２０が形成されている。本実施形態では、第一の固定部２の長手方向における一端側と中央部のそれぞれに対して一つずつ第一貫通孔２０が形成されている。
【００３０】
本実施形態に係る第一の固定部２において、第一の固定部２の一方の板面（以下、第一面と称する）２１は、内壁Ｆ１の外面（開口Ｈ内に向けて配置される一面）に当接させる面であり、第一の固定部２の他方の板面（以下、第二面と称する）２２は、スラブＳの開口Ｈ内に向けて配置される面である。
【００３１】
そして、第一の固定部２は、図２（ａ）に示すように、長手方向に沿って延びる固定部用補強部２３を有する。
【００３２】
固定部用補強部２３は、図２（ｂ）に示すように、横断面形状において、第一の固定部２の第一面２１の一部を構成する内面が凹状に湾曲し、第一の固定部２の第二面２２の一部を構成する外面が凸状に湾曲するように形成されている。すなわち、固定部用補強部２３は、全体が外側に向けて膨らむように湾曲している。
【００３３】
図１に戻り、第二の固定部３は、帯板状である。第二の固定部３は、第一の固定部２に対して対向配置されている。第一の固定部２と第二の固定部３とは、それぞれの長手方向が一致又は略一致するように形成されており、また、互いに平行又は略平行な姿勢となるように形成されている。
【００３４】
第二の固定部３は、帯板状である。第二の固定部３には、厚み方向において貫通する貫通孔（以下、第二貫通孔と称する）３０が形成されている。第二貫通孔３０は、第二の固定部３の長手方向における中央部に形成されている。
【００３５】
本実施形態に係る第二の固定部３において、第二の固定部３の一方の板面（以下、第一面と称する）３１は、外壁Ｆ２の外面（具体的には、外壁Ｆ２の内壁Ｆ１側に対向する内面とは反対側の一面）に当接させる面である。そのため、第二の固定部３の他方の板面（以下、第二面と称する）３２は、第二の固定部３が外壁Ｆ２に固定された状態において、外部に露出する面である。
【００３６】
連設部４は、帯板状であり、長手方向における一端には第一の固定部２の長手方向における一端が連続し、長手方向における他端には第二の固定部３の長手方向における一端が連続している。そのため、本実施形態に係る固定具１は、第一の固定部２、第二の固定部３、連設部４のそれぞれが一体となって一つの凹部を形成するように構成されている。
【００３７】
なお、第一の固定部２、第二の固定部３、連設部４のそれぞれの幅は、同一又は略同一となっている。
【００３８】
連設部４において、一方の板面（以下、第一面と称する）４０は、内壁Ｆ１上と外壁Ｆ２上とに跨るようにして配置される面であり、他方の板面（以下、第二面と称する）４１は、上方に向けて配置される面である。
【００３９】
そして、連設部４は、図３（ａ）に示すように、長手方向に沿って延びる連設部用補強部４２を有する。
【００４０】
連設部用補強部４２は、図３（ｂ）に示すように、横断面形状において、連設部４の第一面４０の一部を構成する内面が凹状に湾曲し、連設部４の第二面４１の一部を構成する外面が凸状に湾曲するように形成されている。すなわち、連設部用補強部４２は、全体が外側（上方）に向けて膨らむように湾曲している。
【００４１】
本実施形態に係る固定具１の構成は、以上の通りである。続いて、固定具１の使い方について、添付図面を参照しつつ説明する。
【００４２】
固定具１を型枠Ｆに取り付けるには、まず、図４に示すように、外壁Ｆ２と内壁Ｆ１とが第一の固定部２と第二の固定部３の間に介在するようにして、外壁Ｆ２及び内壁Ｆ１に対して複数の固定具１を被せる。なお、固定具１同士の間隔は、適宜定めればよい。
【００４３】
これにより、連設部４の第一面４０は外壁Ｆ２上と内壁Ｆ１上とに跨った状態になる。また、第一の固定部２の第一面２１は内壁Ｆ１の外面に当接し、第二の固定部３の第一面３１は内壁Ｆ１の外面に当接する。
【００４４】
この状態で、第一の固定部２の第一貫通孔２０を介して内壁Ｆ１に釘を打ち込み、さらに、第二の固定部３の第二貫通孔３０を介して外壁Ｆ２に釘を打ち込む。
【００４５】
これにより、固定具１が型枠Ｆの外壁Ｆ２と内壁Ｆ１とに固定され、外壁Ｆ２の内壁Ｆ１に対する配置位置が固定される（外壁Ｆ２と内壁Ｆ１の位置関係が固定される）。
【００４６】
以上のように、本実施形態に係る固定具１によれば、第一の固定部２と第二の固定部３とが連設部４を介して一つながりになっているため、第一の固定部２を内壁Ｆ１に固定し、第二の固定部３を外壁Ｆ２に固定することにより、外壁Ｆ２を内壁Ｆ１に対して固定することができる。
【００４７】
従って、固定具１は、スラブＳとともに該スラブＳの開口Ｈ周りに段壁部Ｗを形作る型枠Ｆを構築する手間を抑えることができるという優れた効果を奏し得る。
【００４８】
また、第一の固定部２と第二の固定部３とは、連設部４から同方向に延出し且つ互いに対向するように形成されていているため、第一の固定部２と第二の固定部３との間に外壁Ｆ２と内壁Ｆ１とを介在させることによって、内壁Ｆ１部の内側（開口Ｈの内側）への傾倒、及び外壁Ｆ２部の外側への傾倒を抑制できる。
【００４９】
さらに、固定具１は、第一の固定部２の第一貫通孔２０や、第二の固定部３の第二貫通孔３０に釘等の締結部材を貫通させることで第一の固定部２を内壁Ｆ１に固定し、第二の固定部３を外壁Ｆ２に固定できる用に構成されているため、型枠Ｆに対して固定具１を簡単に固定することができる。
【００５０】
また、第二の固定部３には、長手方向における中央部から基端までの領域内に対して第二貫通孔３０が複数形成されている、すなわち、複数の第二貫通孔３０が第二の固定部３の基端側に寄せて形成されているため、第二の固定部３の全長よりも長い型枠（本実施形態では外壁Ｆ２）や、第二の固定部３の全長よりも短い型枠であっても、第二の固定部３の全長の半分よりも長い型枠であれば第二の固定部３を固定することが可能となる。従って、サイズの異なる型枠Ｆに対して固定具１を固定し易くすることができる。
【００５１】
さらに、外壁Ｆ２の高さ（上下方向における寸法）は小さくなる傾向にあるが、本実施形態では、第二の固定部３の連設部４からの延出量が第一の固定部２の連設部４からの延出量よりも小さくなっていているため、第二の固定部３の先端が型枠Ｆに干渉することによる内壁Ｆ１や外壁Ｆ２に対する連設部４の浮き上がりを防止できる。
【００５２】
そして、第一の固定部２には、該第一の固定部２の長手方向に沿って延び、且つ前記第二の固定部３側とは反対側に膨らむように湾曲する固定部用補強部２３が形成されているため、固定部用補強部２３の内壁Ｆ１への干渉を防止したうえで、第一の固定部２を補強することができる。
【００５３】
また、第一の固定部２の第一面２１を内壁Ｆ１の外面に当接させた状態における、内壁Ｆ１に対する固定部用補強部２３の干渉が防止されるため、第一の固定部２を内壁Ｆ１に沿わせ易くなる。従って、内壁Ｆ１に対して第一の固定部２を固定し易くなる。
【００５４】
また、連設部４にも、該連設部４の長手方向に沿って延び且つ外側（上方）に向かって膨らむように湾曲する連設部用補強部４２を有するため、連設部用補強部４２の内壁Ｆ１及び外側への干渉を防止したうえで、連設部４を補強できる。
【００５５】
また、固定金具を外壁Ｆ２及び内壁Ｆ１に被せた状態における連設部用補強部４２の内壁Ｆ１及び外側への干渉が防止されるため、内壁Ｆ１に対する第一の固定部２の傾きや、外壁Ｆ２に対する第二の固定部３の傾きを抑えうることができる。
【００５６】
さらに、本実施形態に係る固定具１は、第一の固定部２と第二の固定部３とが連設部４よりも上方には延出していないため、型枠Ｆに設置されている状態において、作業の妨げ、例えば、作業者の衣服や、作業に用いる工具や器具等が第一の固定部２と第二の固定部３に引っ掛かってしまうことを防止することができる。
【００５７】
なお、本考案の型枠の固定具は、上記一実施形態に限定されるものではなく、本考案の要旨を逸脱しない範囲において種々変更が可能である。
【００５８】
上記実施形態において、第一の固定部２は、一つの固定部用補強部２３を有するように構成されていたが、この構成に限定されない。例えば、第一の固定部２は、複数の固定部用補強部２３を有するように構成されていてもよい。この場合、複数の固定部用補強部２３は、第一の固定部２の長手方向で並ぶように形成されていてもよいし、該長手方向に直交する方向で並ぶように形成されていてもよい。
【００５９】
上記実施形態において、第一の固定部２には、二つの第一貫通孔２０が形成されていたが、例えば、第一貫通孔２０の数は、一つであってもよいし、三つ以上であってもよい。
【００６０】
上記実施形態において、第二の固定部３には、一つの第二貫通孔３０が形成されていたが、例えば、第二貫通孔３０の数は、二つ以上であってもよい。
【００６１】
上記実施形態において、第一貫通孔２０、及び第二貫通孔３０には締結具としての釘が挿通されていたが、例えば、木ネジ等を挿通させてもよい。
【００６２】
上記実施形態において、連設部４は、一つの連設部用補強部４２を有するように構成されていたが、この構成に限定されない。例えば、連設部４は、複数の連設部用補強部４２を有するように構成されていてもよい。この場合、複数の連設部用補強部４２は、第一の固定部２の長手方向で並ぶように形成されていてもよいし、該長手方向に直交する方向で並ぶように形成されていてもよい。
【符号の説明】
【００６３】
１…固定具、２…固定部、３…固定部、４…連設部、２０…第一貫通孔、２１…第一面、２２…第二面、２３…固定部用補強部、３０…第二貫通孔、３１…第一面、４０…第一面、４１…第二面、４２…連設部用補強部、Ｆ…型枠、Ｆ１…内壁、Ｆ２…外壁、Ｈ…開口、Ｓ…スラブ、Ｗ…段壁部
【図１】
0003214018.tif 000003
【図２】
0003214018.tif 000004
【図３】
0003214018.tif 000005
【図４】
0003214018.tif 000006
【図５】
0003214018.tif 000007